(57)【要約】      （修正有）【課題】走査ライン間で、画像データにわずかな違いがあったとしても画質を損なうことなくマルチスキャン駆動を可能にする発光表示装置のマルチスキャン駆動方式を提供する。【解決手段】複数の走査ライン４間において画像データを構成する一定数のビットのうち一部のビットを比較する走査ライン間データ比較部８と、走査ライン間データ比較部における比較結果に基づいて、駆動する走査ラインを選択する走査ライン選択部１０と、走査ライン間データ比較部における比較結果に基づいて、信号ライン駆動部３によって駆動される画像データを保存する画像メモリ部９を備え、走査ライン間データ比較部８における比較結果において画像データが一致した場合、走査ライン選択部１０により選択された複数の走査ラインを同時に駆動するようにしたものである。【選択図】図１
2013109198.tif 000002
【特許請求の範囲】
【請求項１】
発光素子がマトリクス状に配列された表示ユニット部と、前記表示ユニット部の走査ラインを駆動する走査ライン駆動部と、前記表示ユニット部の信号ラインを駆動する信号ライン駆動部と、複数の走査ライン間において画像データを構成する一定数のビットのうち一部のビットを比較する走査ライン間データ比較部と、前記走査ライン間データ比較部における比較結果に基づいて、駆動する走査ラインを選択する走査ライン選択部と、前記走査ライン間データ比較部における比較結果に基づいて、前記信号ライン駆動部によって駆動される画像データを保存する画像メモリ部を備え、
前記走査ライン間データ比較部における比較結果において前記画像データが一致した場合、前記走査ライン選択部により複数の走査ラインを同時に駆動するようにしたことを特徴とする発光表示装置のマルチスキャン駆動方式。
【請求項２】
前記走査ライン間データ比較部は、前記画像データの一部のビットとして上位ビットのみを比較し、
前記画像メモリ部は、
前記走査ライン間データ比較部における比較結果が一致した場合の前記画像データの上位ビットを保存する走査ライン共通メモリと、
前記走査ライン間データ比較部における比較結果が一致した場合の前記画像データの下位ビットを保存する階調補正メモリを有し、
前記走査ライン間データ比較部における比較結果において前記画像データが一致した場合、前記走査ライン共通メモリ及び階調補正メモリに保存されたデータを前記信号ライン駆動部に供給することを特徴とする請求項１記載の発光表示装置のマルチスキャン駆動方式。
【請求項３】
１フレームの駆動期間の中に、２ライン以上の走査ラインを同時に駆動する複数ライン走査期間と、走査ラインを１ラインずつ駆動し、走査ライン間の補正を行う補正期間を設け、前記複数ライン走査期間において前記走査ライン共通メモリに保存されたデータを前記信号ライン駆動部に供給すると共に、前記補正期間において前記階調補正メモリに保存されたデータを前記信号ライン駆動部に供給することを特徴とする請求項２記載の発光表示装置のマルチスキャン駆動方式。
【請求項４】
前記画像メモリ部は、同時に駆動される走査ラインの組み合わせに応じて、前記発光素子と前記信号ライン駆動部との抵抗成分の差に起因する前記発光素子の明るさを補正するための補正ダータを保存した走査ライン間補正メモリを有することを特徴とする請求項２または３記載の発光表示装置のマルチスキャン駆動方式。
【請求項５】
前記表示ユニット部は、前記走査ラインを２つ毎以上のグループに分けられ、各グループの走査ラインにおいて前記発光素子が対称になるように配置されていることを特徴とする請求項１乃至３のいずれか一つに記載の発光表示装置のマルチスキャン駆動方式。
【発明の詳細な説明】
【技術分野】
【０００１】
この発明は、マトリクス状に並んだ発光素子で構成される発光表示装置を駆動するマルチスキャン駆動方式に関するものである。
【背景技術】
【０００２】
従来のマトリクス状に並んだ発光素子で構成される発光表示装置においては、１フレームの駆動期間を表示ユニット内の走査ライン数に応じて分割し、走査ラインを１ラインずつ駆動していく。
このとき、表示ユニット内の走査ライン数が多くなればなるほど走査ラインを駆動する時間が短くなる。
駆動する時間は長い方が発光効率は高くなるため、駆動時間を長くするために、特許文献１に示されるように、駆動しようとする複数の走査ライン間の画像データが同じだった場合、その走査ラインを同時に駆動する、マルチスキャン駆動方式が用いられている。
【先行技術文献】
【特許文献】
【０００３】
【特許文献１】特開２００６−２５１７９９号公報
【発明の概要】
【発明が解決しようとする課題】
【０００４】
従来のマルチスキャン駆動方式は、駆動しようとする複数の走査ライン間の画像データを比較し、比較した結果が同じであれば、その走査ラインを同時に駆動する。
ただしこの場合、走査ライン間で画像データが一致していなければならず、画像データにわずかな違いがあった場合、マルチスキャン駆動を行うことができない。その結果、映像表示時に、実際にマルチスキャン駆動を行う確率は著しく低くなる。
また、走査ライン間の画像データにわずかな違いがある場合に、この方法でマルチスキャン駆動を行った場合、駆動した発光素子は走査ライン間で同じ輝度を示すことから、実際の画像データとは異なる表示となり、画質の劣化につながる。
【０００５】
この発明は上記のような課題を解決するためになされたものであり、走査ライン間で、画像データにわずかな違いがあったとしても画質を損なうことなくマルチスキャン駆動を可能にする発光表示装置のマルチスキャン駆動方式を提供することを目的とする。
【課題を解決するための手段】
【０００６】
この発明は、発光素子がマトリクス状に配列された表示ユニット部と、前記表示ユニット部の走査ラインを駆動する走査ライン駆動部と、前記表示ユニット部の信号ラインを駆動する信号ライン駆動部と、複数の走査ライン間において画像データを構成する一定数のビットのうち一部のビットを比較する走査ライン間データ比較部と、前記走査ライン間データ比較部における比較結果に基づいて、駆動する走査ラインを選択する走査ライン選択部と、前記走査ライン間データ比較部における比較結果に基づいて、前記信号ライン駆動部によって駆動される画像データを保存する画像メモリ部を備え、前記走査ライン間データ比較部における比較結果において前記画像データが一致した場合、前記走査ライン選択部により複数の走査ラインを同時に駆動するようにしたものである。
【発明の効果】
【０００７】
この発明によれば、走査ライン間で、画像データにわずかな違いがあったとしてもマルチスキャン駆動を行うことができ、画質を損なうことなく発光効率の高い画像表示装置を
実現することができる。
【図面の簡単な説明】
【０００８】
【図１】この発明の実施の形態１の全体構成を示すブロック図である。
【図２】実施の形態１における表示ユニット部の概略構成を示す図である。
【図３】画像データである階調データのビット構成を示す説明図である。
【図４】実施の形態１における走査ラインの駆動状態を示す説明図である。
【図５】実施の形態１における走査ライン間データ比較部の制御フローの一例を示す説明図である。
【図６】この発明の実施の形態２の表示ユニット部の概略構成を示す図である。
【図７】実施の形態２の全体構成を示すブロック図である。
【図８】この発明の実施の形態３の表示ユニット部の構成を示す図である。
【発明を実施するための形態】
【０００９】
実施の形態１．
以下、この発明の実施の形態１を図１、２に基づいて説明する。
図1において、表示ユニット部１は、表示ユニット部１の信号ライン２が信号ライン駆動
部３に接続され、走査ライン４が走査ライン駆動部５に接続され、信号ライン駆動部３と走査ライン駆動部５の選択により発光素子６が駆動され、映像表示を行う。
ここで、映像表示の基となる画像データは外部からコントローラ７に入力後、走査ライン間データ比較部８において、画像データの比較が行われ、比較の結果に応じて画像データが画像メモリ９に保存される。
また、画像データの比較の結果に応じて走査ライン選択部１０に、駆動する走査ラインの選択情報が入力され、その情報に基づいて走査ラインの駆動が行われる。
【００１０】
映像表示の基となる画像データは外部からコントローラ７に入力後、走査ライン間データ比較部８において、画像データの比較が行われる。この時の動作について説明する。
図２において、表示ユニット部１に配列された発光素子６は、表示ユニット部１内の各信号ラインを２１、２２、・・・、２ｎとし、走査ラインを４１、４２、・・・、４ｍとすると、信号ライン２ａと走査ライン４ｂによって駆動される発光素子６は６ａｂと表される。
ここで、１つの発光素子を駆動するための基となる画像データは、図３のように一定のビット（ｂｉｔ）数で構成された階調データ１１で表され、発光素子６ａｂに対する階調データは１１ａｂで表される。また、これらの階調データは上位ｃビットと下位ｄビットに分割されている。
走査ライン間データ比較部８では、任意の走査ライン４ｅと４ｆにおいて、それぞれの走査ラインの同じ信号ラインに属する画像データ同士を比較する。
つまり、走査ライン４ｅ、４ｆに含まれる発光素子のうち、信号ライン２ｇに属する発光素子６ｅｇ、６ｆｇがあり、発光素子６ｅｇ、６ｆｇに対応する階調データ１１ｅｇ、１１ｆｇ同士を比較する。また、画像データの比較はそれぞれの階調データの上位ｃビットのみ比較を行う。
【００１１】
なお、走査ライン間の画像データの比較において、仮に画像データを１２ビットとし上位６ビットと下位６ビットに分け、複数の走査ラインにおいて、その上位６ビットが同じであればマルチスキャンを行うとした場合、例えば階調データ２０４８も２１１１も、同じく２０４８として駆動されてしまい、この時の差はおよそ３％となる。
また、上位４ビットと下位８ビットに分けたときの差はおよそ１２％となり、マルチスキャンの頻度を増やすために、比較用の上位ビット数を少なくすればするほどこの差は大きくなる。
【００１２】
このような画像データの比較をその走査ライン上の全ての発光素子について行うが、比較の結果、一致しなかった場合、各階調データ１１は画像メモリ９中の走査ラインメモリ１２に保存される。
このとき、走査ラインメモリ１２に保存された階調データを基に、信号ライン駆動部３は表示ユニット部１の駆動を行う一方、走査ライン駆動部５は、走査ライン選択部１０の選択に応じて表示ユニット部１の走査ライン４ｅ、４ｆを１ラインずつ駆動する。
【００１３】
一方、走査ライン４ｅ上の全ての発光素子の階調データ１１ｅｇ（１≦ｇ≦ｍ）が、比較した他の走査ライン４ｆ上の階調データ１１ｆｇ（１≦ｇ≦ｍ）と一致した場合、走査ライン間データ比較部８において、走査ライン４ｅと走査ライン４ｆの画像データが一致したと判断する。
このとき走査ライン４eもしくは４ｆ上の発光素子のそれぞれの階調データの上位ｃビッ
トは、画像メモリ９中の走査ライン共通メモリ１３に保存され、下位ｄビットは、走査ライン４ｅ、４ｆ毎に別々に、階調補正メモリ１４に保存される。
画像メモリ９に保存された画像データを基に、信号ライン駆動部３は、表示ユニット部１の信号ライン２を駆動する。
これと同時に、走査ライン選択部１０においては、走査ライン４e、４ｆを同時に選択し
、走査ライン駆動部５は走査ライン４e、４ｆを同時に駆動する。
【００１４】
走査ライン４の駆動の様子を図４に示す。
図４（ａ）は走査ライン間で画像データが一致するラインが無かった場合の駆動の様子、図４（ｂ）は走査ライン４１と４２、４３と４４、・・・４ｍ−１と４ｍにおいて、それぞれ画像データが一致したときの駆動の様子を表す。
すなわち、ある画像データはその上位ｃビットに対して、走査ラインの任意のライン間での比較が行われ、その結果、走査ライン間のデータが全て異なる場合、図４（ａ）のように、走査ライン毎に走査ラインメモリ１２に保存され、１ラインずつ駆動される。
これに対し、走査ライン１と２、走査ライン３と４、・・・、走査ラインｍ−１とｍにおける画像データの上位ｃビットが同じであった場合、図４（ｂ）のように、それぞれのラインの画像データの上位ｃビットは走査ライン共通メモリ１３に保存され、このデータを元に、各走査ラインを駆動する。
またこのときデータの下位dビットは階調補正メモリ１４に保存され、駆動期間中の補正
期間においては、このデータを元に駆動が行われる。
【００１５】
図４（ｂ）において、１フレームの駆動期間は複数ライン走査期間と補正期間に分割されており、複数ライン走査期間では、画像データが一致した走査ラインを同時に選択し、画像メモリ９の中の走査ライン共通メモリ１３の中のデータを基に、信号ラインを駆動する。
このとき第１走査ラインの駆動期間は、各走査ラインを１ラインずつ選択した場合の走査ライン４１の駆動期間と走査ライン４２の駆動期間を足し合わせた期間になり、駆動期間が長くなる。
また、補正期間では、各走査ラインを１ラインずつ選択し、画像メモリ９の中の階調補正メモリ１４の中のデータを基に、信号ライン２を駆動する。
このような駆動を行うことで、複数の走査ラインを同時に駆動した場合でも、同時に駆動した走査ライン間の階調データの差を表現することができ、逆に言えば、複数の走査ライン間で、多少階調データが異なる場合でも、画質を損なうことなくマルチスキャンを実現することが可能となる。
【００１６】
図４（ｂ）の図は、走査ライン４１と４２、４３と４４、・・・、４ｍ−１と４ｍにおいてそれぞれの画像データが一致したときの駆動の様子を表しているが、３つ以上の走査ラインの画像データが一致した場合や、全走査ラインの中で、２つの走査ラインのみの画
像データが一致した場合でも、同様の制御を行うことで、マルチスキャンを行うことができる。
特に、同時に選択する走査ラインの数が増えるほど、その走査ラインの駆動期間は長くなり、発光効率は高くなる。
【００１７】
そこで、マルチスキャン時に、同時に選択する走査ラインの数がなるべく多くなるよう比較制御を行う。
図５は走査ライン４の比較制御フローの一例であり、１６ライン間の画像データを比較した結果、それぞれの画像データが一致したとき、１６ラインを同時に駆動する。
１６ライン間の画像データが一致しない場合には、８ライン間の画像データを比較し、それぞれの画像データが一致したとき、８ラインを同時に駆動する。
８ライン間の画像データが一致しない場合には、順次４ライン、２ラインについて同様の手順で比較、駆動を行う。
そして、最終的に２ライン間においても画像データが一致しない場合には、１ラインづつ駆動する。
なお、１フレームの駆動期間の中で、複数ライン走査期間と補正期間は必ずしも１つずつでなくても良い。
【００１８】
以上のように、この発明の実施の形態１によれば、発光素子がマトリクス状に配列された表示ユニット部と、前記表示ユニット部の走査ラインを駆動する走査ライン駆動部と、前記表示ユニット部の信号ラインを駆動する信号ライン駆動部と、複数の走査ライン間において画像データを構成する一定数のビットのうち一部のビットを比較する走査ライン間データ比較部と、前記走査ライン間データ比較部における比較結果に基づいて、駆動する走査ラインを選択する走査ライン選択部と、前記走査ライン間データ比較部における比較結果に基づいて、前記信号ライン駆動部によって駆動される画像データを保存する画像メモリ部を備え、前記走査ライン間データ比較部における比較結果において前記画像データが一致した場合、前記走査ライン選択部により複数の走査ラインを同時に駆動するようにしたもので、このように構成することにより、走査ライン間で、画像データにわずかな違いがあったとしてもマルチスキャン駆動を行うことができ、画質を損なうことなく発光効率の高い画像表示装置を実現することができる。
【００１９】
実施の形態２．
上記実施の形態１では、階調補正メモリ１４により走査ライン毎のわずかな階調のズレを補正する場合について述べたが、表示ユニット部において、図６に示すように、発光素子間の信号ライン２に抵抗成分が発生する場合がある。
このとき、例えば走査ライン４１と走査ライン４ｍを同時に駆動する場合、信号ライン駆動部から信号ライン２ａに出力された電流は、発光素子６ａ１と６ａｍに分流することになるが、それぞれの発光素子６ａ１、６ａｍと信号ライン駆動部３との間には異なる抵抗成分があるため、分流したそれぞれの電流値は異なる値になる。
その結果、同時に駆動した２つの発光素子の間には発光時の明るさに差が発生する。この差を吸収するため、この実施の形態２では、図７に示すように画像メモリ９内に、同時に選択する走査ラインの組み合わせに応じて走査ライン間の補正を行うための補正データを保存した走査ライン間補正メモリ１５を設ける。
【００２０】
この時の駆動方法を図４（ｂ）に基づいて説明すると、複数ライン走査期間においては走査ライン上の階調データが一致する２つ以上の走査ラインを同時に駆動し、補正期間においては、階調補正メモリ１４のデータに加えて、走査ライン間補正メモリ１５の補正データに基づいて補正を行うことで、信号ライン２上の発光素子６間に発生する抵抗成分に左右されることなく、マルチスキャンの駆動が可能となる。
【００２１】
実施の形態３．
実施の形態２において、表示ユニット部１内の発光素子６間の信号ライン２上の抵抗成分を補正する方法について述べたが、この実施の形態３では、表示ユニット部１において、図８に示すように、走査ライン４１、４２、・・・、４ｍを２つ毎のグループ４１・４２、４３・４２、・・・、４ｍ−１・４ｍに分け、各グループの走査ラインにおいて２つの発光素子６、６が対称になるように配置し、マルチスキャン時に、走査ライン４１と４２、走査ライン４３と４４、・・・、走査ライン４ｍ−１と４ｍの組み合わせで駆動を行う。
この場合、それぞれの組み合わせにおける２つの発光素子と信号ライン駆動部間のそれぞれの抵抗成分はほぼ同じ値になるため、抵抗成分の差に起因する発光の明るさの差を軽減することが可能となる。
なお、図８には走査ラインを２つ毎のグループに分けた場合を示したが、３つ毎以上のグループに分けても良い。
【符号の説明】
【００２２】
１：表示ユニット部
２：信号ライン
３：信号ライン駆動部
４：走査ライン
５：走査ライン駆動部
６：発光素子
７：コントローラ
８：走査ライン間データ比較部
９：画像メモリ
１１：階調データ
１２：走査ラインメモリ
１３：走査ライン共通メモリ
１４：階調補正メモリ
１５：走査ライン間補正メモリ
【図１】
2013109198.tif 000003
【図２】
2013109198.tif 000004
【図３】
2013109198.tif 000005
【図４】
2013109198.tif 000006
【図５】
2013109198.tif 000007
【図６】
2013109198.tif 000008
【図７】
2013109198.tif 000009
【図８】
2013109198.tif 000010